【手続補正書】
【提出日】平成19年6月20日(2007.6.20)
【手続補正１】
【補正対象書類名】明細書
【補正対象項目名】特許請求の範囲
【補正方法】変更
【補正の内容】
【特許請求の範囲】
【請求項１】  複数のワークピースを支持するツーリング取り付け具であって、該複数のワークピースのいくつかの下面は、異なる高さの特徴を有し、
該ツーリング取り付け具は、
複数のシリンダボアと、該複数のシリンダボアに流体接続された少なくとも１つの支持流体マニホルドと、使用中のワークピースが支持される表面とを含む本体と、
該ワークピースを支持する複数の支持要素であって、該複数のシリンダボアのそれぞれにスライド可能に配置されており、該ワークピースの下面と適合接触するような支持位置を取った場合、該複数の支持要素のうちの少なくともいくつかは、該本体の表面とは異なる高さを取るように移動される、複数の支持要素と、
支持流体を含む少なくとも１つの支持流体リザーバであって、該支持位置を取った際に該複数の支持要素のうちの少なくともいくつかがスライドすると、該少なくとも１つの支持流体リザーバと該少なくとも１つの支持流体マニホルドとの間で支持流体の移動を提供するように該少なくとも１つの支持流体マニホルドに動作可能なように流体接続されている少なくとも１つの支持流体リザーバと、
該少なくとも１つの支持流体リザーバと該少なくとも１つの支持流体マニホルドとの間で支持流体の移動を可能にすることにより、該複数の支持要素が該支持位置を取ることを可能にし、該支持位置にある場合、該複数の支持要素をロックする流量制御ユニットと
を備え、
該複数の支持要素のうちの少なくともいくつかが該ワークピースの下面と適合接触するような支持位置を取るように、該ワークピースの下面と適合接触していない位置から、該複数の支持要素のうちの少なくともいくつが移動され、該複数の支持要素のうちのいくつは、該ワークピースの下面の特徴と適合している該複数の支持要素の別の支持要素とは異なる高さを取る、ツーリング取り付け具。
【請求項２】  前記流量制御ユニットは、前記少なくとも１つの支持流体リザーバから前記少なくとも１つの支持流体マニホルドに支持流体を移動させるように構成され、前記支持要素が、前記ワークピースに沿って接触する前記支持位置を取るように延長され、該支持要素の少なくともいくつかは、前記ワークピースの下面の特徴と適合するような異なる高さに上げられる、請求項１に記載のツーリング取り付け具。
【請求項３】前記流量制御ユニットは、前記少なくとも１つの支持流体リザーバから前記少なくとも１つの支持流体マニホルドに支持流体の移動をさせるように構成され、前記支持要素が延長位置まで延長され、次いで前記支持要素のうちの少なくともいくつかが、前記ワークピースと適合接触する前記支持位置を取るために下げられることを許可するように、該少なくとも１つの支持流体マニホルドから該少なくとも１つの支持流体リザーバに支持流体の移動を許可し、該支持要素の少なくともいくつかは、該ワークピースの下面の特徴に適合するような異なる高さに下げられる、請求項１に記載のツーリング取り付け具。
【請求項４】  前記流量制御ユニットは、前記少なくとも１つの支持流体リザーバに動作可能なように流体接続される正の空気圧源を含み、該正の空気圧源は、前記支持要素を延長するように該少なくとも１つの支持流体リザーバから前記少なくとも１つの支持流体マニホルドに支持流体を移動させる、請求項１から３のいずれか一項に記載のツーリング取り付け具。
【請求項５】  前記流量制御ユニットは、前記少なくとも１つの支持流体リザーバに動作可能なように流体接続される真空源を含み、該真空源は、前記支持要素を引っ込めるように該少なくとも１つの支持流体マニホルドから前記少なくとも１つの支持流体リザーバに支持流体を移動させる、請求項１から３のいずれか一項に記載のツーリング取り付け具。
【請求項６】  前記少なくとも１つの支持流体リザーバは、前記少なくとも１つの支持流体マニホルドと底端部で動作可能なように流体接続される固定容量のアキュムレータを含み、前記流量制御ユニットは、該アキュムレータの上端部に動作可能なように流体接続される正の空気圧源を含み、該正の空気圧源は、含まれている支持流体に正の空気圧を加え、該アキュムレータから該少なくとも１つの支持流体マニホルドに支持流体を移動させ、前記支持要素を延長する、請求項１から３のいずれか一項に記載のツーリング取り付け具。
【請求項７】  前記流量制御ユニットは、前記アキュムレータの上端部に動作可能なように流体接続される真空源を含み、該真空源は、含まれている支持流体に真空を加え、前記支持要素を引っ込めるように前記少なくとも１つの支持流体マニホルドから前記アキュムレータに支持流体を移動させる、請求項６に記載のツーリング取り付け具。
【請求項８】  前記流量制御ユニットは、前記アキュムレータに前記正の空気圧源および前記真空源のうちの１つを流体接続するように選択的に動作可能な第１および第２の制御バルブを含む、請求項７に記載のツーリング取り付け具。
【請求項９】  前記第１の制御バルブは、前記アキュムレータ、前記真空源および前記第２の制御バルブに流体接続される３ポートバルブを含み、該第１の制御バルブは、該真空源または該第２の制御バルブのうちの１つに該アキュムレータを流体接続するように動作可能であり、該第２の制御バルブは、該第１の制御バルブ、前記正の空気圧源および大気に流体接続される３ポートバルブを含み、該第２の制御バルブは、該第２の制御バルブに該アキュムレータを流体接続する該第１の制御バルブとともに、該正の空気圧源または大気のうちの１つに該アキュムレータを流体接続するように動作可能である、請求項８に記載のツーリング取り付け具。
【請求項１０】  前記正の空気圧源は、前記支持要素によって前記ワークピースに働く力に対応する前記支持流体への予め決定できる圧力を働かせるように構成される、請求項４から９のいずれか一項に記載のツーリング取り付け具。
【請求項１１】  前記流量制御ユニットは、少なくとも１つの駆動ピストンアセンブリを含み、該少なくとも１つの駆動ピストンアセンブリは、それぞれの少なくとも１つの支持流体リザーバにスライド可能に配置される支持流体駆動ピストンとそれぞれの少なくとも１つの支持流体リザーバで該支持流体駆動ピストンをスライドさせる駆動ユニットとを含む、請求項１から３のいずれか一項に記載のツーリング取り付け具。
【請求項１２】  前記支持流体駆動ピストンは、浮遊型ピストンを含む、請求項１１に記載のツーリング取り付け具。
【請求項１３】  前記駆動ユニットは、前記支持流体駆動ピストンに対する位置であって、それぞれの少なくとも１つの支持流体リザーバと前記少なくとも１つの支持流体マニホルドとの間の前記流体接続と反対側の位置においてそれぞれの少なくとも１つの支持流体リザーバと動作可能なように流体接続される正の圧力源を含み、該支持流体駆動ピストンをスライドさせて、それぞれの少なくとも１つの支持流体リザーバから該少なくとも１つの支持流体マニホルドに支持流体を移動させて、前記支持要素を延長する、請求項１２に記載のツーリング取り付け具。
【請求項１４】  前記正の圧力源は、空気圧源を含む、請求項１３に記載のツーリング取り付け具。
【請求項１５】  前記駆動ユニットは、前記支持流体駆動ピストンに対する位置であって、それぞれの少なくとも１つの支持流体リザーバと前記少なくとも１つの支持流体マニホルドとの間の前記流体接続と反対側の位置においてそれぞれの少なくとも１つの支持流体リザーバと動作可能なように流体接続される負の圧力源を含み、該支持流体駆動ピストンをスライドさせて、該少なくとも１つの支持流体マニホルドからそれぞれの少なくとも１つの支持流体リザーバに支持流体を移動させて、前記支持要素を引っ込める、請求項１３または１４に記載のツーリング取り付け具。
【請求項１６】  前記負の圧力源は、真空源を含む、請求項１５に記載のツーリング取り付け具。
【請求項１７】  前記駆動ユニットは、接続ロッドを介して前記支持流体駆動ピストンに接続される液圧シリンダを含み、該接続ロッドを選択的に駆動して、第１の方向ではそれぞれの少なくとも１つの支持流体リザーバからそれぞれの少なくとも１つの支持流体マニホルドに支持流体を移動させて前記支持要素を延長し、第２の反対方向ではそれぞれの少なくとも１つの支持流体マニホルドからそれぞれの少なくとも１つの支持流体リザーバに支持流体を移動させて該支持要素を引っ込める、請求項１１に記載のツーリング取り付け具。
【請求項１８】  前記駆動ユニットは、接続ロッドを介して前記支持流体駆動ピストンに接続される空気シリンダを含み、該接続ロッドを選択的に駆動して、第１の方向ではそれぞれの少なくとも１つの支持流体リザーバからそれぞれの少なくとも１つの支持流体マニホルドに支持流体を移動させて前記支持要素を延長し、第２の反対方向ではそれぞれの少なくとも１つの支持流体マニホルドからそれぞれの少なくとも１つの支持流体リザーバに支持流体を移動させて該支持要素を引っ込める、請求項１１に記載のツーリング取り付け具。
【請求項１９】  前記空気シリンダは、該空気シリンダの対向端部に空気接続部を含み、該空気接続部は、空気圧の適用により、前記接続ロッドを選択的に反対方向に駆動させることを可能とし、前記流量制御ユニットは、該空気シリンダの１つの流体接続部に動作可能なように流体接続される第１の空気圧源を含み、前記第１の方向に前記支持流体駆動ピストンをスライドさせ、それぞれの少なくとも１つの支持流体リザーバからそれぞれの少なくとも１つの支持流体マニホルドに支持流体を移動させて前記支持要素を延長し、かつ、該空気シリンダの他の流体接続部に動作可能なように流体接続される第２の空気圧源を含み、他の第２の方向に該支持流体駆動ピストンをスライドさせ、それぞれの少なくとも１つの支持流体マニホルドからそれぞれの少なくとも１つの支持流体リザーバに支持流体を移動させて該支持要素を引っ込める、請求項１８に記載のツーリング取り付け具。
【請求項２０】  前記空気シリンダはクランプを含み、該クランプは、該クランプが、前記接続ロッドをクランプ締めして該空気シリンダの動作を妨げる第１のクランプ締めした状態と、該接続ロッドが自由に移動可能であり該空気シリンダが動作可能な第２の開いた状態との間で動作可能である、請求項１８または１９に記載のツーリング取り付け具。
【請求項２１】  前記クランプは、通常は前記クランプ締めした状態であり、空気作動圧力の適用によって前記開いた状態に動作可能な空気により作動するクランプである、請求項２０に記載のツーリング取り付け具。
【請求項２２】  前記駆動ユニットは、前記支持要素によって前記ワークピースに働く力に対応する前記支持流体への予め決定できる圧力を働かせるように構成される、請求項１１から２１のいずれか一項に記載のツーリング取り付け具。
【請求項２３】  前記流量制御ユニットは、前記少なくとも１つの支持流体リザーバのうちの少なくとも１つと前記少なくとも１つの支持流体マニホルドのうちの少なくとも１つとを動作可能なように流体接続する少なくとも１つのバルブユニットを含む、請求項１から２２のいずれか一項に記載のツーリング取り付け具。
【請求項２４】  前記本体は、複数の列のシリンダボアおよび該複数の列のシリンダボアに流体接続される１つの支持流体マニホルドを含む、請求項１から２２のいずれか一項に記載のツーリング取り付け具。
【請求項２５】  前記本体は、複数の列のシリンダボアおよび複数の支持流体マニホルドであって、該複数の支持流体マニホルドの各々が該複数の列のシリンダボアに流体接続される、複数の支持流体マニホルドを含む、請求項１から２２のいずれか一項に記載のツーリング取り付け具。
【請求項２６】  前記本体は、複数の列のシリンダボアおよび複数の支持流体マニホルドであって、該複数の支持流体マニホルドの各々が該複数の列のシリンダボアのそれぞれ１つに流体接続される、複数の支持流体マニホルドを含む、請求項１から２２のいずれか一項に記載のツーリング取り付け具。
【請求項２７】  前記１つの支持流体マニホルドに動作可能なように流体接続される１つの支持流体リザーバを含む、請求項２４に記載のツーリング取り付け具。
【請求項２８】  前記支持流体マニホルドに動作可能なように流体接続される１つの支持流体リザーバを含む、請求項２５または２６に記載のツーリング取り付け具。
【請求項２９】  複数の支持流体リザーバであって、該複数の支持流体リザーバの各々が前記支持流体マニホルドのそれぞれ１つに流体接続される、複数の支持流体リザーバを含む、請求項２５または２６に記載のツーリング取り付け具。
【請求項３０】  前記流量制御ユニットは、前記１つの支持流体リザーバと前記１つの支持流体マニホルドとを動作可能なように流体接続する１つのバルブユニットを含む、請求項２７に記載のツーリング取り付け具。
【請求項３１】  前記流量制御ユニットは、前記１つの支持流体リザーバと各支持流体マニホルドとを動作可能なように流体接続する１つのバルブユニットを含む、請求項２８に記載のツーリング取り付け具。
【請求項３２】  前記流量制御ユニットは、複数のバルブユニットであって、該複数のバルブユニットの各々は、前記１つの支持流体リザーバを前記支持流体マニホルドのうちのそれぞれ１つの支持流体マニホルドに動作可能なように流体接続する、複数のバルブユニットを含む、請求項２８に記載のツーリング取り付け具。
【請求項３３】  前記流量制御ユニットは、複数のバルブユニットであって、該複数のバルブユニットの各々は、前記支持流体リザーバのうちのそれぞれのいくつかの支持流体リザーバと前記支持流体マニホルドとを動作可能なように流体接続する、複数のバルブユニットを含む、請求項２９に記載のツーリング取り付け具。
【請求項３４】  前記バルブユニットの各々は、前記支持流体によって働く圧力が予め決定できる値を超えるときには、それぞれの少なくとも１つの流体支持リザーバとそれぞれの少なくとも１つの流体支持マニホルドとの間の支持流体の移動を自動的に閉じて防ぐように構成された圧力感応遮断バルブを含む、請求項２３に記載のツーリング取り付け具。
【請求項３５】  前記遮断バルブは、
それぞれの少なくとも１つの流体支持リザーバに流体接続される第１のポートおよびそれぞれの少なくとも１つの流体支持マニホルドに流体接続される第２のポートを含むピストン本体と、
流体接続が該第１のポートと該第２のポートとの間で提供される第１の開いた位置と、いかなる流体接続も該第１のポートと該第２のポートとの間では提供されない第２の閉じた位置との間において該ピストン本体の中をスライド可能なように配置されるピストンユニットと、
該開いた位置に該ピストンユニットを通常はバイアシングし、前記支持流体によって働く圧力が予め決定できる値を超えるときには、該ピストンユニットが該閉じた位置を取るようなバイアシング力を有するバイアシング要素と、
該ピストンユニットを該ビストン本体に密閉接続するダイヤフラムシールと
を含む、請求項３４に記載のツーリング取り付け具。
【請求項３６】  前記ピストンユニットは、キャビティと、該キャビティに流体接続された少なくとも２組の放射状ボアであって、該ピストンユニットが前記開いた位置にあるときには軸のボアを介して前記第１のポートと該第２のポートとの間に流体接続を提供し、該ピストンユニットが閉じた位置にあるときには該第１のポートと該第２のポートとの間にいかなる流体接続も提供しないように、配置されている少なくとも２組の放射状のボアとを含んだピストンを含む、請求項３５に記載のツーリング取り付け具。
【請求項３７】  前記ピストンの中の前記キャビティは、リジッドボールによって一端部を閉じられた中空ボアを含む、請求項３６に記載のツーリング取り付け具。
【請求項３８】  前記遮断バルブは、前記バイアシング要素のバイアシング力の調整を可能にするねじアジャスターをさらに含む、請求項３５から３７のいずれか一項に記載のツーリング取り付け具。
【請求項３９】  前記バルブユニットの各々は、それぞれの少なくとも１つの支持流体リザーバとそれぞれの少なくとも１つの支持流体マニホルドとを流体接続し、それぞれの少なくとも１つの支持流体リザーバとそれぞれの少なくとも１つの支持流体マニホルドとの間の支持流体のフローを制御するバルブを含み、
前記流量制御ユニットは、前記少なくとも１つの支持流体マニホルドに流体接続された圧力センサであって、該支持流体によって働く圧力を検出する圧力センサと、該圧力センサおよび該バルブに動作可能なように流体接続されたコントローラであって、該支持流体によって働く圧力が予め決定できる値を越えるときには該バルブを閉じるコントローラとを含む、請求項２３に記載のツーリング取り付け具。
【請求項４０】  前記バルブユニットの各々は、並列の組み合わせで配置された第１および第２のバルブであって、それぞれの少なくとも１つの流体支持リザーバとそれぞれの少なくとも１つの支持流体マニホルドとを動作可能なように流体接続する第１および第２のバルブを含み、
該第１のバルブは、それぞれの少なくとも１つの支持流体リザーバからそれぞれの少なくとも１つの支持流体マニホルドに支持流体のフローを許容するように構成された一方向チェックバルブであり、
該第２のバルブは、それぞれの少なくとも１つの支持流体マニホルドをそれぞれの少なくとも１つの支持流体リザーバと流体的に接続するように動作可能であり、それぞれの少なくとも１つの支持流体マニホルドからそれぞれの少なくとも１つの支持流体リザーバに支持流体のフローを許容する、請求項２３に記載のツーリング取り付け具。
【請求項４１】  前記第２のバルブは、空気で作動するバルブである、請求項４０に記載のツーリング取り付け具。
【請求項４２】  前記流量制御ユニットは、前記第２のバルブに動作可能なように流体接続された空気圧源であって、該第２のバルブを作動させて前記支持要素を延長する空気圧源を含む、請求項４１に記載のツーリング取り付け具。
【請求項４３】  前記空気シリンダは、該空気シリンダの対向端部に空気圧接続を含み、該空気圧接続は、空気圧の適用により、前記接続ロッドを反対方向に駆動させることを可能し、前記流量制御ユニットは、少なくとも１つのバルブユニットと第１の空気圧源と第２の空気圧源とを含み、該少なくとも１つのバルブユニットは、前記少なくとも１つの支持流体リザーバのうちの少なくとも１つと前記少なくとも１つの支持流体マニホルドのうちの少なくとも１つとを動作可能なように流体接続し、該少なくとも１つのバルブユニットのそれぞれは、並列の組み合わせで配置された第１のバルブと第２のバルブであって、それぞれの少なくとも１つの支持流体リザーバとそれぞれの少なくとも１つの支持流体マニホルドとを動作可能なように流体接続する第１のバルブと第２のバルブとを含み、該第１のバルブは、それぞれの少なくとも１つの支持流体リザーバからそれぞれの少なくとも１つの支持流体マニホルドへの支持流体のフローを可能にするように構成されている一方向チェックバルブであり、該第２のバルブは、それぞれの少なくとも１つの支持流体マニホルドをそれぞれの少なくとも１つの支持流体リザーバに流体的に接続するように動作可能な空気圧により作動するバルブであり、それぞれの少なくとも１つの支持流体マニホルドからそれぞれの少なくとも１つの支持流体リザーバへの支持流体のフローを可能にし、該第１の空気圧源は、該空気シリンダの一方の流体接続部に動作可能なように流体接続されており、前記支持流体駆動ピストンをスライドさせることにより、それぞれの少なくとも１つの支持流体リザーバからそれぞれの少なくとも１つの支持流体マニホルドに支持流体を移動させ、それにより、前記複数の支持要素を延長させ、該第２の空気圧源は、該空気シリンダの他方の流体接続部と該第２のバルブとの両方に動作可能に流体接続されており、該第２のバルブを作動させることにより、それぞれの少なくとも１つの支持流体マニホルドをそれぞれの少なくとも１つの支持流体リザーバに流体接続し、同時に、該支持流体駆動ピストンをスライドさせることにより、それぞれの少なくとも１つの支持流体マニホルドからそれぞれの少なくとも１つの支持流体リザーバに支持流体を移動させ、それにより、該複数の支持要素を引っ込める、請求項１８に記載のツーリング取り付け具。
【請求項４４】  前記本体は、前記複数のシリンダボアに流体接続する少なくとも１つの戻り流体マニホルドを含み、該複数のシリンダボアは、一端において、それぞれの少なくとも１つの供給流体マニホルドに流体接続されており、他端において、それぞれの少なくとも１つの戻り流体マニホルドに流体接続されており、前記ツーリング取り付け具は、
該少なくとも１つの戻り流体マニホルドのうちの少なくとも１つに動作可能なように流体接続されている少なくとも１つの正圧供給ユニットであって、前記複数の支持要素を引っ込められた位置に戻す少なくとも１つの正圧供給ユニットをさらに備えている、請求項１から４３のいずれか一項に記載のツーリング取り付け具。
【請求項４５】  前記少なくとも１つの正圧供給ユニットの各々は、正圧供給源を含む、請求項４４に記載のツーリング取り付け具。
【請求項４６】  前記正圧供給源は、空気圧源を含む、請求項４５に記載のツーリング取り付け具。
【請求項４７】  前記少なくとも１つの正圧供給ユニットの各々は、戻り流体を含む戻り流体リザーバと、前記戻り流体リザーバにスライド可能に配置された戻り流体駆動ピストンと、該戻り流体駆動ピストンに対する位置であって、該戻り流体リザーバとそれぞれの少なくとも１つの戻り流体マニホルドとの間の接続の反対側の位置において該戻り流体リザーバに流体接続された正の空気圧源とを含む、請求項４４に記載のツーリング取り付け具。
【請求項４８】  前記戻り流体駆動ピストンは、浮遊型ピストンを含む、請求項４７のツーリング取り付け具。
【請求項４９】  前記正圧供給源は、空気圧源を含む、請求項４７または４８に記載のツーリング取り付け具。
【請求項５０】  前記本体は、前記複数のシリンダボアに流体接続する少なくとも１つの戻り流体マニホルドを含み、該複数のシリンダボアは、一端において、それぞれの少なくとも１つ供給流体マニホルドに流体接続されており、他端において、それぞれの少なくとも１つの戻り流体マニホルドに流体接続されており、前記流量制御ユニットは、少なくとも１つのバルブユニットと空気圧源とを含み、該少なくとも１つのバルブユニットは、前記少なくとも１つの支持流体リザーバのうちの少なくとも１つと該少なくとも１つの支持流体マニホルドのうちの少なくとも１つとを動作可能なように流体接続し、該少なくとも１つのバルブユニットのそれぞれは、並列の組み合わせで配置された第１のバルブと第２のバルブとであって、それぞれの少なくとも１つの支持流体リザーバとそれぞれの少なくとも１つの支持流体マニホルドとを動作可能なように流体接続する第１のバルブと第２のバルブとを含み、該第１のバルブは、それぞれの少なくとも１つの支持流体リザーバからそれぞれの少なくとも１つの支持流体マニホルドへの支持流体のフローを可能にするように構成されている一方向チェックバルブであり、該第２のバルブは、それぞれの少なくとも１つの支持流体マニホルドをそれぞれの少なくとも１つの支持流体リザーバに流体接続するように動作可能な空気で作動するバルブであり、それぞれの少なくとも１つの支持流体マニホルドからそれぞれの少なくとも１つの支持流体リザーバへの支持流体のフローを可能にし、該空気圧源は、それぞれの少なくとも１つの戻り流体マニホルドと該第２のバルブとの両方に動作可能なように流体接続されており、該第２のバルブを作動させることにより、それぞれの少なくとも１つの支持流体マニホルドをそれぞれの少なくとも１つの支持流体リザーバに流体接続し、同時に、それぞれの少なくとも１つの戻り流体マニホルドに戻り流体を導入することにより、該複数の支持要素を引っ込め、それぞれの少なくとも１つの支持流体マニホルドからそれぞれの少なくとも１つの支持流体リザーバに支持流体を移動させる、請求項２３に記載のツーリング取り付け具。
【請求項５１】  前記本体は、前記複数のシリンダボアに流体接続する少なくとも１つの戻り流体マニホルドを含み、該複数のシリンダボアは、一端において、それぞれの少なくとも１つ供給流体マニホルドに流体接続されており、他端において、それぞれの少なくとも１つの戻り流体マニホルドに流体接続されており、前記ツーリング取り付け具は、該少なくとも１つの戻り流体マニホルドのうちの少なくとも１つに動作可能なように流体接続された少なくとも１つの正圧供給ユニットであって、前記複数の支持要素を引っ込める少なくとも１つの正圧供給ユニットをさらに備えており、該少なくとも１つの正圧供給ユニットの各々は、戻り流体を含む戻り流体リザーバと、該該戻り流体リザーバにスライド可能に配置された戻り流体駆動ピストンと、該戻り流体駆動ピストンに対する位置であって、該戻り流体リザーバとそれぞれの少なくとも１つの戻り流体マニホルドとの間の接続の反対側の位置において該戻り流体リザーバに流体接続された正の空気圧源とを含み、前記流量制御ユニットは、少なくとも１つのバルブユニットと空気圧源とを含み、該少なくとも１つのバルブユニットは、前記少なくとも１つの支持流体リザーバのうちの少なくとも１つと該少なくとも１つの支持流体マニホルドのうちの少なくとも１つとを動作可能なように流体接続し、該少なくとも１つのバルブユニットのそれぞれは、並列の組み合わせで配置された第１のバルブと第２のバルブとであって、それぞれの少なくとも１つの支持流体リザーバとそれぞれの少なくとも１つの支持流体マニホルドとを動作可能なように流体接続する第１のバルブと第２のバルブとを含み、該第１のバルブは、それぞれの少なくとも１つの支持流体リザーバからそれぞれの少なくとも１つの支持流体マニホルドへの支持流体のフローを可能にするように構成されている一方向チェックバルブであり、該第２のバルブは、それぞれの少なくとも１つの支持流体マニホルドをそれぞれの少なくとも１つの支持流体リザーバに流体接続するように動作可能な空気で作動するバルブであり、それぞれの少なくとも１つの支持流体マニホルドからそれぞれの少なくとも１つの支持流体リザーバへの支持流体のフローを可能にし、該空気圧源は、該戻り流体リザーバと該第２のバルブとの両方に動作可能なように流体可接続されており、該第２のバルブを作動させることにより、それぞれの少なくとも１つの支持流体マニホルドをそれぞれの少なくとも１つの支持流体リザーバに流体接続し、同時に、該戻り流体駆動ピストンをスライドさせることにより、該戻り流体リザーバからそれぞれの少なくとも１つの戻り流体マニホルドに戻り流体を移動させ、該複数の支持要素を引っ込め、それぞれの少なくとも１つの支持流体マニホルドからそれぞれの少なくとも１つの支持流体リザーバに支持流体を移動させる、請求項２３に記載のツーリング取り付け具。
【請求項５２】  前記少なくとも１つの支持流体リザーバの各々は、前記本体にキャビティを含む、請求項１から５１のいずれか一項に記載のツーリング取り付け具。
【請求項５３】  前記少なくとも１つの支持流体リザーバの各々は、前記本体に一体的に取り付けられたチューブを含む、請求項１から５２のいずれか一項に記載のツーリング取り付け具。
【請求項５４】  前記複数の支持要素の各々は、ピストンと、該ピストンより小さい直径を有するロッドであって、該ピストンに固定されたロッドとを含む、請求項１から５３のいずれか一項に記載のツーリング取り付け具。
【請求項５５】  前記複数の支持要素の各々は、ロッドを含む、請求項１から５３のいずれか一項に記載のツーリング取り付け具。
【請求項５６】  前記本体は、前記複数のシリンダボアのそれぞれに配置された複数のシリンダスリーブアセンブリを含み、該複数のシリンダスリーブアセンブリにおいて、前記複数の支持要素のそれぞれがスライド可能に配置されている、請求項１から５５のいずれか一項に記載のツーリング取り付け具。
【請求項５７】  前記複数の支持要素のそれぞれは、該支持要素の端部に固定された端部キャップを含む、請求項１から５６のいずれか一項に記載のツーリング取り付け具。
【請求項５８】  前記本体は、本体部と、下部と、上部とを含み、該本体部は、該本体部を貫通する複数のシリンダボアを含み、該下部は、該本体部の下面に固定されており、該本体部の上面に沿った少なくとも１つのチャネルと、該少なくとも１つのチャネルに流体接続された少なくとも１つのアウトレットホールとを含み、該少なくとも１つのチャネルは、少なくとも１つの供給流体マニホルドを定義し、該上部は、該本体部の上面に取り付けられており、該上部は、該本体部内の複数のシリンダボアと位置あわせされた複数のアパーチャを含み、該複数のアパーチャを介して、該複数の支持要素のそれぞれは、延長可能である、請求項１から５７のいずれか一項に記載のツーリング取り付け具。
【請求項５９】  前記本体は、前記本体部と前記下部との間に配置されたガスケットをさらに含む、請求項５８に記載のツーリング取り付け具。
【請求項６０】  前記本体は、少なくとも１つのモジュールを含み、前記ツーリング取り付け具は、該本体が取り付け可能であるベースをさらに備えている、請求項１から５９のいずれか一項に記載のツーリング取り付け具。
【請求項６１】  前記本体は、複数の支持モジュールを含み、該複数の支持モジュールの各々は、少なくとも１つの列のシリンダボアを含む、請求項６０に記載のツーリング取り付け具。
【請求項６２】  請求項１から６１のいずれか一項に記載のツーリング取り付け具と、該ツーリング取り付け具の本体の表面に近接して配置されたプリント回路基板とを備えたスクリーン印刷機器。
【請求項６３】  請求項１から６１のいずれか一項に記載のツーリング取り付け具と、該ツーリング取り付け具の本体の表面に近接して配置されたプリント回路基板とを備えた装着機器。
【請求項６４】  複数のワークピースを支持する方法であって、該複数のワークピースのいくつかの下面は、異なる高さの特徴を有し、
該方法は、
ツーリング取り付け具を提供するステップであって、該ツーリング取り付け具は、複数のシリンダボアと、該複数のシリンダボアに流体接続された少なくとも１つの支持流体マニホルドと、使用中のワークピースが支持される表面とを含む本体と、該ワークピースを支持する複数の支持要素であって、該複数のシリンダボアのそれぞれにスライド可能に配置されている複数の支持要素と、支持流体を含む少なくとも１つの支持流体リザーバであって、該少なくとも１つの支持流体マニホルドに動作可能なように流体接続されている少なくとも１つの支持流体リザーバとを含む、ステップと、
該少なくとも１つの支持流体リザーバと該少なくとも１つの支持流体マニホルドとの間で支持流体の移動させることにより、該複数の支持要素が該ワークピースの下面と適合接触する支持位置を取るステップと、
該支持位置にある場合、該複数の支持要素をロックするステップと
を包含し、
該複数の支持要素のうちの少なくともいくつかが該ワークピースの下面と適合接触するような支持位置を取るように、該ワークピースの下面と適合接触していない位置から、該複数の支持要素のうちの少なくともいくつが移動され、該複数の支持要素のうちのいくつは、該ワークピースの下面の特徴と適合している該複数の支持要素の別の支持要素とは異なる高さを取る、方法。
【請求項６５】    前記支持流体移動ステップは、前記少なくとも１つの支持流体リザーバから前記少なくとも１つの支持流体マニホルドに支持流体を移動させ、前記支持要素が、前記ワークピースと適合接触する前記支持位置を取るように延長され、該支持要素の少なくともいくつかは、前記ワークピースの下面の特徴と適合するような異なる高さに上げられるステップを含む、請求項６４に記載の方法。
【請求項６６】  前記支持流体移動ステップは、前記少なくとも１つの支持流体リザーバから前記少なくとも１つの支持流体マニホルドに支持流体の移動をさせ、前記支持要素が延長位置まで延長されるステップと、
次いで該支持要素のうちの少なくともいくつかが、前記ワークピースに適合接触する前記支持位置を取るように下げられることを許可するように、該少なくとも１つの支持流体マニホルドから該少なくとも１つの支持流体リザーバへの支持流体の移動を許可し、該支持要素の少なくともいくつかは、該ワークピースの下面の特徴に適合するような異なる高さに下げられるステップと
を包含する、請求項６４に記載の方法。
【請求項６７】  前記少なくとも１つの支持流体リザーバから前記少なくとも１つの支持流体マニホルドに支持流体を移動させることにより、前記複数の支持要素を延長させることは、正の空気圧を該少なくとも１つの支持流体リザーバに加えることによって行われる、請求項６４から６６のいずれか一項に記載の方法。
【請求項６８】  前記少なくとも１つの支持流体マニホルドから前記少なくとも１つの支持流体リザーバに支持流体を移動させることにより、前記複数の支持要素を引っ込めることは、真空を該少なくとも１つの支持流体リザーバに加えることによって行われる、請求項６７に記載の方法。
【請求項６９】  前記正の空気圧源は、前記支持要素によって前記ワークピースに働く力に対応する前記支持流体への予め決定できる圧力を働かせる、請求項６７または６８に記載の方法。
【請求項７０】  前記ツーリング取り付け具は、少なくとも１つの駆動ピストンアセンブリを含み、該少なくとも１つの駆動ピストンアセンブリは、それぞれの少なくとも１つの支持流体リザーバにスライド可能に配置される支持流体駆動ピストンを含む、請求項６４から６６のいずれか一項に記載の方法。
【請求項７１】  前記支持流体駆動ピストンは、浮遊型ピストンを含む、請求項７０に記載の方法。
【請求項７２】  前記それぞれの少なくとも１つの支持流体リザーバから前記少なくとも１つの支持流体マニホルドに支持流体を移動させることにより、前記複数の支持要素を延長させることは、前記支持流体駆動ピストンに対する位置においてれそれぞれの少なくとも１つの支持流体リザーバに正圧を加えることによって行われ、該位置は、それぞれの少なくとも１つの支持流体リザーバと該少なくとも１つの支持流体マニホルドとの間の流体接続の反対側にある、請求項７１に記載の方法。
【請求項７３】  前記正圧は、空気圧を含む、請求項７２に記載の方法。
【請求項７４】  前記少なくとも１つの支持流体マニホルドからそれぞれの少なくとも１つの支持流体リザーバに支持流体を移動させることにより、前記複数の支持要素を引っ込めることは、前記支持流体駆動ピストンに対する位置においてそれぞれの少なくとも１つの支持流体リザーバに負圧を加えることによって行われ、該位置は、それぞれの少なくとも１つの支持流体リザーバと該少なくとも１つの支持流体マニホルドとの間の流体接続の反対側にある、請求項７２または７３に記載の方法。
【請求項７５】  前記負圧は、真空を含む、請求項７４に記載の方法。
【請求項７６】  前記それぞれの少なくとも１つの支持流体マニホルドとそれぞれの少なくとも１つの支持流体リザーバとの間の支持流体の移動は、接続ロッドを介して前記支持流体駆動ピストンに接続される空気シリンダの動作によって行われ、該接続ロッドを選択的に駆動して、第１の方向ではそれぞれの少なくとも１つの支持流体リザーバからそれぞれの少なくとも１つの支持流体マニホルドに支持流体を移動させて前記支持要素を延長し、第２の反対方向ではそれぞれの少なくとも１つの支持流体マニホルドからそれぞれの少なくとも１つの支持流体リザーバに支持流体を移動させて該支持要素を引っ込める、請求項７０に記載の方法。
【請求項７７】  前記それぞれの少なくとも１つの支持流体マニホルドとそれぞれの少なくとも１つの支持流体リザーバとの間の支持流体の移動は、接続ロッドを介して前記支持流体駆動ピストンに接続される空気シリンダの動作によって行われ、該接続ロッドを選択的に駆動して、第１の方向ではそれぞれの少なくとも１つの支持流体リザーバからそれぞれの少なくとも１つの支持流体マニホルドに支持流体を移動させて前記支持要素を延長し、第２の反対方向ではそれぞれの少なくとも１つの支持流体マニホルドからそれぞれの少なくとも１つの支持流体リザーバに支持流体を移動させて該支持要素を引っ込める、請求項７０に記載の方法。
【請求項７８】  前記駆動ピストンアセンブリは、前記支持要素によって前記ワークピースに働く力に対応する前記支持流体への予め決定できる圧力を働かすように動作可能である、請求項７０から７７のいずれか一項に記載の方法。
【請求項７９】  前記ツーリング取り付け具は、前記少なくとも１つの支持流体リザーバのうちの少なくとも１つと前記少なくとも１つの支持流体マニホルドのうちの少なくとも１つとを流体接続する少なくとも１つのバルブユニットをさらに含む、請求項６４から７８のいずれか一項に記載の方法。
【請求項８０】  前記本体は、複数の列のシリンダボアおよび該複数の列のシリンダボアに流体接続される１つの支持流体マニホルドを含む、請求項６４から７８のいずれか一項に記載の方法。
【請求項８１】  前記本体は、複数の列のシリンダボアおよび複数の支持流体マニホルドであって、該複数の支持流体マニホルドの各々が該複数の列のシリンダボアに流体接続される、複数の支持流体マニホルドを含む、請求項６４から７８のいずれか一項に記載の方法。
【請求項８２】  前記本体は、複数の列のシリンダボアおよび複数の支持流体マニホルドであって、該複数の支持流体マニホルドの各々が該複数の列のシリンダボアのそれぞれ１つに流体接続される、複数の支持流体マニホルドを含む、請求項６４から７８のいずれか一項に記載の方法。
【請求項８３】  前記ツーリング取り付け具は、前記１つの支持流体マニホルドに動作可能なように流体接続される１つの支持流体リザーバをさらに含む、請求項８０に記載の方法。
【請求項８４】  前記ツーリング取り付け具は、前記支持流体マニホルドに動作可能なように流体接続される１つの支持流体リザーバをさらに含む、請求項８１または８２に記載の方法。
【請求項８５】  前記ツーリング取り付け具は、複数の支持流体リザーバであって、該複数の支持流体リザーバの各々は、前記支持流体マニホルドのそれぞれ１つに流体接続される、複数の支持流体リザーバをさらに含む、請求項８１または８２に記載の方法。
【請求項８６】  前記ツーリング取り付け具は、前記１つの支持流体リザーバと前記１つの支持流体マニホルドとを動作可能なように流体接続する１つのバルブユニットを含む、請求項８３に記載の方法。
【請求項８７】  前記ツーリング取り付け具は、前記１つの支持流体リザーバと各支持流体マニホルドとを動作可能なように流体接続する１つのバルブユニットを含む、請求項８４に記載の方法。
【請求項８８】  前記ツーリング取り付け具は、複数のバルブユニットであって、該複数のバルブユニットの各々は、前記１つの支持流体リザーバを前記支持流体マニホルドのそれぞれ１つに動作可能なように流体接続する、複数のバルブユニットを含む、請求項８４に記載の方法。
【請求項８９】  前記ツーリング取り付け具は、複数のバルブユニットであって、該複数のバルブユニットの各々は、前記支持流体リザーバのそれぞれのいくつかと前記支持流体マニホルドとを動作可能なように流体接続する、複数のバルブユニットを含む、請求項８５に記載の方法。
【請求項９０】  前記バルブユニットの各々は、前記支持流体によって働く圧力が予め決定できる値を超えるときには、それぞれの少なくとも１つの流体支持リザーバとそれぞれの少なくとも１つの流体支持マニホルドとの間の支持流体の移動を自動的に閉じて防ぐ圧力感応遮断バルブを含む、請求項７９に記載の方法。
【請求項９１】  前記バルブユニットの各々は、それぞれの少なくとも１つの支持流体リザーバとそれぞれの少なくとも１つの支持流体マニホルドとを流体接続し、それぞれの少なくとも１つの支持流体リザーバとそれぞれの少なくとも１つの支持流体マニホルドとの間の支持流体のフローを制御するバルブを含み、
前記ツーリング取り付け具は、前記少なくとも１つの支持流体マニホルドに流体接続された圧力センサであって、該支持流体によって働く圧力を検出する圧力センサと、該圧力センサおよび該バルブに動作可能なように流体接続されたコントローラとを含み、該バルブは、該支持流体によって働く
圧力が予め決定できる値を越えるときには閉じる、請求項７９に記載の方法。
【請求項９２】  前記バルブユニットの各々は、並列の組み合わせで配置された第１および第２のバルブであって、それぞれの少なくとも１つの流体支持リザーバとそれぞれの少なくとも１つの支持流体マニホルドとを動作可能なように流体接続する第１および第２のバルブを含み、
該第１のバルブは、それぞれの少なくとも１つの支持流体リザーバからそれぞれの少なくとも１つの支持流体マニホルドへの支持流体のフローを許容する一方向チェックバルブであり、
該第２のバルブは、それぞれの少なくとも１つの支持流体マニホルドとそれぞれの少なくとも１つの支持流体リザーバとを流体接続するように動作可能であり、それぞれの少なくとも１つの支持流体マニホルドからそれぞれの少なくとも１つの支持流体リザーバに、支持流体のフローを許可する、請求項７９に記載の方法。
【請求項９３】  前記本体は、前記複数のシリンダボアに流体接続する少なくとも１つの戻り流体マニホルドを含み、該複数のシリンダボアは、一端において、それぞれの少なくとも１つの供給流体マニホルドに流体接続されており、他端において、それぞれの少なくとも１つの戻り流体マニホルドに流体接続されており、引っ込められた位置に前記支持要素を戻すための、前記少なくとも１つの支持流体マニホルドのうちの少なくとも１つからの支持流体の移動は、前記少なくとも１つの戻り流体マニホルドのうちの少なくとも１つへの正の圧力の適用によって行われる、請求項６４から９２のいずれか一項に記載の方法。